(57)【要約】【課題】この発明は、１つのチャンネルに対する放送の有無の判定時間を短くしてチャンネルスキャンに要する時間の短縮化を図り、しかも、放送の有無を正確に判定することができて実用に好適する放送受信装置及び放送受信方法を提供することを目的としている。【解決手段】復調処理によりＴＭＣＣ信号が得られたか否かによって、選局したチャンネルにおけるデジタル放送の有無を仮判定し、デジタル放送の有状態が仮判定された状態で、選局情報抽出処理によりセクション情報（ＮＩＴ）が得られたか否かにより、選局したチャンネルにおけるデジタル放送の有無を判定する。【選択図】    図１３
2004363806.tif 000002
【特許請求の範囲】
【請求項１】
所定のデジタル放送チャンネルを選局する選局手段と、
この選局手段から出力される信号に復調処理を施す復調手段と、
この復調手段で復調された信号から特定の選局情報を抽出する選局情報抽出手段と、
前記復調手段による復調処理が第１の段階に達した状態で第１の情報が得られたか否かによって、前記選局手段で選局したチャンネルにおけるデジタル放送の有無を仮判定する仮判定手段と、
この仮判定手段により前記デジタル放送の有状態が仮判定された状態で、前記選局情報抽出手段による選局情報抽出処理が前記第１の段階よりも後の第２の段階に達した状態で第２の情報が得られたか否かによって、前記選局手段で選局したチャンネルにおけるデジタル放送の有無を判定する判定手段とを具備したことを特徴とする放送受信装置。
【請求項２】
所定のデジタル放送チャンネルを選局する選局手段と、
この選局手段から出力される信号に復調処理を施す復調手段と、
この復調手段で復調された信号から特定の選局情報を抽出する選局情報抽出手段と、
前記復調手段によりＴＭＣＣ信号が得られたか否かによって、前記選局手段で選局したチャンネルにおけるデジタル放送の有無を仮判定する仮判定手段と、
この仮判定手段により前記デジタル放送の有状態が仮判定された状態で、前記選局情報抽出手段によりセクション情報が得られたか否かによって、前記選局手段で選局したチャンネルにおけるデジタル放送の有無を判定する判定手段とを具備したことを特徴とする放送受信装置。
【請求項３】
所定のデジタル放送チャンネルを選局する選局手段と、
この選局手段から出力される信号に復調処理を施す復調手段と、
この復調手段で復調された信号から特定の選局情報を抽出する選局情報抽出手段と、
前記復調手段によりＯＦＤＭフレーム同期信号が得られたか否かによって、前記選局手段で選局したチャンネルにおけるデジタル放送の有無を仮判定する仮判定手段と、
この仮判定手段により前記デジタル放送の有状態が仮判定された状態で、前記選局情報抽出手段によりセクション情報が得られたか否かによって、前記選局手段で選局したチャンネルにおけるデジタル放送の有無を判定する判定手段とを具備したことを特徴とする放送受信装置。
【請求項４】
前記仮判定手段により前記デジタル放送の無状態が仮判定された状態、または、前記判定手段により前記デジタル放送の有無が判定された状態で、前記選局手段で選局するチャンネルを自動的に更新する更新手段を具備したことを特徴とする請求項１乃至３いずれかに記載の放送受信装置。
【請求項５】
前記更新手段は、チャンネルスキャンのために予め設定された全物理チャンネルの範囲内で、前記選局手段で選局するチャンネルを自動的に更新していくことを特徴とする請求項４記載の放送受信装置。
【請求項６】
前記セクション情報は、ＮＩＴであることを特徴とする請求項２または３記載の放送受信装置。
【請求項７】
前記デジタル放送は、地上デジタル放送及び衛星デジタル放送の少なくとも一方であることを特徴とする請求項１乃至６いずれかに記載の放送受信装置。
【請求項８】
所定のデジタル放送チャンネルを選局する工程と、
選局して得られた信号に復調処理を施す工程と、
復調して得られた信号から特定の選局情報を抽出する選局情報抽出処理する工程と、
復調処理が第１の段階に達した状態で第１の情報が得られたか否かによって、前記選局したチャンネルにおけるデジタル放送の有無を仮判定する工程と、
前記デジタル放送の有状態が仮判定された状態で、前記選局情報抽出復調処理が前記第１の段階よりも後の第２の段階に達した状態で第２の情報が得られたか否かによって、前記選局したチャンネルにおけるデジタル放送の有無を判定する工程とを具備したことを特徴とする放送受信方法。
【請求項９】
所定のデジタル放送チャンネルを選局する工程と、
選局して得られた信号に復調処理を施す工程と、
復調して得られた信号から特定の選局情報を抽出する選局情報抽出処理する工程と、
前記復調処理によりＴＭＣＣ信号が得られたか否かによって、前記選局したチャンネルにおけるデジタル放送の有無を仮判定する工程と、
前記デジタル放送の有状態が仮判定された状態で、前記選局情報抽出処理によりセクション情報が得られたか否かによって、前記選局したチャンネルにおけるデジタル放送の有無を判定する工程とを具備したことを特徴とする放送受信方法。
【請求項１０】
所定のデジタル放送チャンネルを選局する工程と、
選局して得られた信号に復調処理を施す工程と、
復調して得られた信号から特定の選局情報を抽出する選局情報抽出処理する工程と、
前記復調処理によりＯＦＤＭフレーム同期信号が得られたか否かによって、前記選局したチャンネルにおけるデジタル放送の有無を仮判定する工程と、
前記デジタル放送の有状態が仮判定された状態で、前記選局情報抽出処理によりセクション情報が得られたか否かによって、前記選局したチャンネルにおけるデジタル放送の有無を判定する工程とを具備したことを特徴とする放送受信方法。
【請求項１１】
前記デジタル放送の無状態が仮判定された状態、または、前記デジタル放送の有無が判定された状態で、前記選局するチャンネルを自動的に更新する工程を具備したことを特徴とする請求項８乃至１０いずれかに記載の放送受信方法。
【発明の詳細な説明】
【０００１】
【発明の属する技術分野】
この発明は、特に地上デジタル放送の受信に好適する放送受信装置及び放送受信方法に関する。
【０００２】
【従来の技術】
周知のように、近年では、テレビジョン放送のデジタル化が推進されている。そして、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上デジタル放送も開始される運びとなっている。
【０００３】
この地上デジタル放送は、現行の地上アナログ放送の基盤を前提としているため、チャンネルのダイレクト選局のためのキーの数を１２個とする１２ポジションの概念や、日本全国を複数の地域に分割して各地域毎に放送局を設置する地域単位の概念が、その運用規程に盛り込まれている。
【０００４】
このため、例えば越境地域等では、地域内の放送局からの放送だけでなく、他地域の放送局からの放送も受信される場合や、地域内の放送局の放送が受信されずに、他地域の放送局の放送だけが受信される場合等、実際に受信してみなければ、どの放送局が受信できるのかわからない地域も存在する。
【０００５】
そこで、地上デジタル放送対応の放送受信機では、所定位置に設置された状態で、ＵＨＦ（Ｕｌｔｒａ  Ｈｉｇｈ  Ｆｒｅｑｕｅｎｃｙ）帯物理チャンネルを順番にスキャンして、受信可能な地上デジタル放送の放送局を検出していく、いわゆる、チャンネルスキャンを行なうようにしている。
【０００６】
このようなチャンネルスキャンにおいて、選局したチャンネルで地上デジタル放送が行なわれているか否かは、地上デジタル放送にて送信されている、例えばＮＩＴ（Ｎｅｔｗｏｒｋ  Ｉｎｆｏｒｍａｔｉｏｎ  Ｔａｂｌｅ）等のようなセクションデータが得られるか否かによって判断するようにしている。
【０００７】
このセクションデータが得られるか否かの判別は、１つのチャンネルで一定時間受信状態を保ち、その一定時間内にセクションデータが得られれば放送が存在し、得られなければ放送が行なわれていないと判定する、タイムアウト処理にて実現されている。
【０００８】
しかしながら、セクションデータであるＮＩＴは、受信信号に復調処理を施して得られるＴＳ（Ｔｒａｎｓｐｏｒｔ  Ｓｔｒｅａｍ）パケットからパケットＩＤ（識別子）をもとに抽出されるものであり、所定のチャンネルを受信してからＮＩＴが得られるまでには、最悪で３秒もの時間を必要とするため、チャンネルスキャンに要する時間が長くなるという問題が生じる。
【０００９】
特に、地上デジタル放送のチャンネルスキャン処理では、通常はＵＨＦ帯の全５０チャンネル、最大ではＶＨＦ（Ｖｅｒｙ  Ｈｉｇｈ  Ｆｒｅｑｕｅｎｃｙ）帯、ＵＨＦ帯、ＣＡＴＶ（Ｃａｂｌｅ  Ｔｅｌｅｖｉｓｉｏｎ）を含めた全１１３チャンネルを１つ１つ選局して、ＮＩＴの有無を確認しているため、上記の問題は深刻なものとなっている。
【００１０】
ここで、特許文献１には、受信信号が一定以上の品質を有するチャンネル番号を受信可能チャンネル候補として仮登録する予備スキャン処理を行なうことによって、チャンネル情報の登録作業時間の短縮化を図るようにした構成が開示されている。
【００１１】
また、特許文献２には、デジタル放送受信機において、映像や音声の識別情報ＥＳ  ＰＩＤ（Ｅｌｅｍｅｎｔａｒｙ  Ｓｔｒｅａｍ  Ｐａｃｋｅｔ  Ｉｄｅｎｔｉｆｉｃａｔｉｏｎ）予測を行なうことによって、選局処理の高速化を図り、ユーザ操作に対する応答性を高めるようにした構成が開示されている。
【００１２】
さらに、特許文献３には、複数の受信回路を備え、プログラムの受信処理を行なっていない受信回路により、プログラムの選局情報及び番組情報を受信することによって、データ伝送路の有効活用を図り常に最新の選局情報を取得するようにした構成が開示されている。
【００１３】
しかしながら、これらの特許文献１乃至３には、いずれも、チャンネルスキャン処理において、所定のチャンネルを受信してからＮＩＴが得られるまでに時間がかかることに起因して、チャンネルスキャンに要する時間が長くなるという問題に対処することについては、何らの記載もなされていないものである。
【００１４】
【特許文献１】
特開２００２−２１８３３５号公報
【００１５】
【特許文献２】
特開２００１−３４６１０９号公報
【００１６】
【特許文献３】
特開２０００−１３６９６号公報
【００１７】
【発明が解決しようとする課題】
そこで、この発明は上記事情を考慮してなされたもので、１つのチャンネルに対する放送の有無の判定時間を短くしてチャンネルスキャンに要する時間の短縮化を図り、しかも、放送の有無を正確に判定することができて実用に好適する放送受信装置及び放送受信方法を提供することを目的とする。
【００１８】
【課題を解決するための手段】
この発明に係る放送受信装置は、所定のデジタル放送チャンネルを選局する選局手段と、この選局手段から出力される信号に復調処理を施す復調手段と、この復調手段で復調された信号から特定の選局情報を抽出する選局情報抽出手段と、復調手段による復調処理が第１の段階に達した状態で第１の情報が得られたか否かによって、選局手段で選局したチャンネルにおけるデジタル放送の有無を仮判定する仮判定手段と、この仮判定手段によりデジタル放送の有状態が仮判定された状態で、選挙情報抽出手段による選局情報抽出処理が第１の段階よりも後の第２の段階に達した状態で第２の情報が得られたか否かによって、選局手段で選局したチャンネルにおけるデジタル放送の有無を判定する判定手段とを備えるようにしたものである。
【００１９】
また、この発明に係る放送受信方法は、所定のデジタル放送チャンネルを選局する工程と、選局して得られた信号に復調処理を施す工程と、復調されて得られた信号から特定の選局情報を抽出する選局情報抽出処理を施す工程と、復調処理が第１の段階に達した状態で第１の情報が得られたか否かによって、選局したチャンネルにおけるデジタル放送の有無を仮判定する工程と、デジタル放送の有状態が仮判定された状態で、選局情報抽出処理が第１の段階よりも後の第２の段階に達した状態で第２の情報が得られたか否かによって、選局したチャンネルにおけるデジタル放送の有無を判定する工程とを備えるようにしたものである。
【００２０】
上記のような構成及び方法によれば、復調処理が第１の段階に達した状態で第１の情報が得られたか否かによって、選局したチャンネルにおけるデジタル放送の有無を仮判定し、デジタル放送の有状態が仮判定された状態で、選局情報抽出処理が第１の段階よりも後の第２の段階に達した状態で第２の情報が得られたか否かによって、選局したチャンネルにおけるデジタル放送の有無を判定するようにしたので、１つのチャンネルに対するデジタル放送の有無の判定時間を短くすることができ、ひいては、チャンネルスキャンに要する時間の短縮化を図り、しかも、デジタル放送の有無を正確に判定することができて実用に好適するものとなる。
【００２１】
【発明の実施の形態】
以下、この発明の実施の形態について、図面を参照して詳細に説明する。図１は、この実施の形態で説明するデジタル放送受信機を示している。すなわち、地上デジタル放送用アンテナ１１で受信された放送信号は、地上放送用チューナ１２に供給されて指定されたチャンネルの信号が選局される。
【００２２】
この地上放送用チューナ１２で選局された信号は、復調回路１３に供給されて所定の復調処理が施されることにより、ＴＳ（Ｔｒａｎｓｐｏｒｔ  Ｓｔｒｅａｍ）パケットに変換される。そして、この復調回路１３から出力されたＴＳパケットは、ＴＳプロセッサ１４に供給される。
【００２３】
このＴＳプロセッサ１４は、入力された各ＴＳパケットに付加されているパケットＩＤ（ＰＩＤ）を識別し、選局情報であるセクションや映像、音声等のＥＳ（Ｅｌｅｍｅｎｔａｒｙ  Ｓｔｒｅａｍ）を抽出する。
【００２４】
後述するコントロール制御回路２３は、ＴＳプロセッサ１４を用いてＰＡＴ（Ｐｒｏｇｒａｍ  Ａｓｓｏｃｉａｔｉｏｎ  Ｔａｂｌｅ）及びＰＭＴ（Ｐｒｏｇｒａｍ  Ｍａｐ  Ｔａｂｌｅ）の各セクションを取得し、受信すべき映像及び音声等、必要なＰＩＤを認識する。
【００２５】
認識した受信したい映像及び音声のＰＩＤをＴＳプロセッサ１４に設定し、ＰＩＤが一致するＴＳパケットをＭＰＥＧ（Ｍｏｖｉｎｇ  Ｐｉｃｔｕｒｅ  Ｅｘｐｅｒｔｓ  Ｇｒｏｕｐ）デコーダ１５に出力している。
【００２６】
このＭＰＥＧデコーダ１５は、入力されたＴＳパケットに復号化処理を施してデジタル映像信号及びデジタル音声信号を生成する。このうち、デジタル映像信号は、映像用Ｄ／Ａ（Ｄｉｇｉｔａｌ／Ａｎａｌｏｇ）変換回路１６に供給されてアナログ映像信号に変換された後、モニタ１７にて映像表示される。
【００２７】
また、ＭＰＥＧデコーダ１５から出力されたデジタル音声信号は、音声用Ｄ／Ａ変換回路１８に供給されてアナログ音声信号に変換された後、スピーカ１９にて音声再生される。
【００２８】
一方、衛星放送用アンテナ２０は、ＢＳデジタル放送及び１１０度ＣＳデジタル放送等の衛星デジタル放送を受信する。この衛星放送用アンテナ２０で受信された放送信号は、衛星放送用チューナ２１に供給されて指定されたチャンネルの信号が選局される。
【００２９】
この衛星放送用チューナ２１で選局された信号は、復調回路２２に供給されて所定の復調処理が施されることにより、ＴＳパケットに変換される。そして、この復調回路２２から出力されたＴＳパケットは、上記ＴＳプロセッサ１４に供給され、以後、地上デジタル放送と同様に映像表示及び音声再生に供される。
【００３０】
ここで、このデジタル放送受信機は、その全ての動作を、コントロール制御回路２３によって統括的に制御されている。このコントロール制御回路２３は、図示しないマイクロコンピュータを内蔵しており、リモートコントローラ２４から送出される操作情報を受信し、その操作内容が反映されるように、各回路部をそれぞれ制御している。
【００３１】
次に、地上デジタル放送におけるチャンネルスキャンについて説明する。このチャンネルスキャンには、初期スキャン、再スキャン及び自動スキャンの３種類がある。
【００３２】
初期スキャンは、新規に購入して所定の位置に設置されたデジタル放送受信機に地域設定を行なった状態、または、引越し等を行なって所定の位置に設置されたデジタル放送受信機に地域設定を行なった状態で、ユーザの要求に基づいて行なわれる。
【００３３】
再スキャンは、ユーザの要求に基づいて行なわれる。自動スキャンは、デジタル放送受信機が所定時間以上受信動作を行なっていない状態、または、所定の周期で自動的に行なわれる。
【００３４】
初期スキャン及び再スキャンの要求は、上記リモートコントローラ２４の操作によって行なわれる。このリモートコントローラ２４には、図２に示すように、メニューキー２５が設置されており、このメニューキー２５が操作されることにより、モニタ１７にスキャン選択画面が表示される。
【００３５】
このスキャン選択画面は、図３に示すように、「初期スキャン」の項目と「再スキャン」の項目とが表示されている。そして、リモートコントローラ２４の方向キー２６でいずれかの項目を選択し、決定キー２７を操作することにより、ユーザが初期スキャンまたは再スキャンを要求することができる。
【００３６】
ここで、上記デジタル放送受信機では、地上放送用チューナ１２で選局された信号に、復調回路１３で復調処理が施される過程において、ＴＭＣＣ信号が検出された段階で、そのチャンネルに放送が存在し、ＴＭＣＣ信号が検出されなかった場合、そのチャンネルに放送が存在しないと仮判定する。そして、ＴＭＣＣ信号によって放送があると仮判定されたチャンネルについてのみ、ＮＩＴが得られるか否かを判別するようにしている。
【００３７】
この場合、ＴＭＣＣ信号は、詳細は後述するが、ＮＩＴを復調するために必要な信号であって、当然、ＮＩＴよりも先に得ることができる。すなわち、ＴＭＣＣ信号は、所定のチャンネルを受信してから得られるまでに約３００ｍｓ程度の時間しか要さないため、１つのチャンネルに対する放送の有無の判定時間を短くしてチャンネルスキャンに要する時間の短縮化を図ることが可能となる。
【００３８】
ここで、デジタル放送における伝送方式は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）  ＳＴＤ−Ｂ２０  ３．０版に標準規格が定められている。
【００３９】
図４は、この標準規格に基づく伝送データの構成を概略的に示している。伝送データは、フレーム単位に分割されており、１フレームは、主として、ＴＭＣＣ信号の一部と、伝送主信号とから構成されている。伝送主信号は、図５に示すように、同期信号とパリティ符号とを含む２０４バイト（１スロット）毎に区切られ、１フレームが４８スロットで構成されている。
【００４０】
また、ＴＭＣＣ信号は、図６に示すように、４８バイトのＴＭＣＣ情報に１６バイトのパリティ符号を付加した６４バイトで構成されており、８バイトずつ８つに分割されて、８個のフレームに付加されるようになっている。
【００４１】
図７は、ＴＭＣＣ情報の構成を示している。このＴＭＣＣ情報は、変更指示、伝送モード／スロット情報、相対ＴＳ／スロット情報、相対ＴＳ／ＴＳ  ＩＤ対応表、起動制御信号、アップリンク制御情報及び拡張情報を含んでいる。
【００４２】
変更指示は、ＴＣＭＭ情報の内容に変更が生じる毎に１ずつ加算されるものとし、その値が“１１１１１”となった場合は、“０００００”に戻る。伝送モード／スロット情報は、伝送主信号に対して誤り訂正内符号化した信号の変調方式、誤り訂正内符号の符号化率の組み合わせ及び使用スロット数を示すものとし、その構成は、図８に示す通りである。
【００４３】
図８において、伝送モードは、図９に示すように、変調方式と誤り訂正内符号の符号化率の組み合わせを示すものとし、変調方式の位相数が高いもの、また、同じ変調方式の場合は誤り訂正内符号の符号化率の高いものから順に伝送モード１，２，３，４に割り当てることとする。同時に使用する変調方式と誤り訂正内符号の符号化率の組み合わせが４に満たない場合には、割り当てのない伝送モードの値を“１１１１”とし、その割り当てスロット数を“００００００”とする。各伝送モードを割り当てるスロット数の合計は４８とする。
【００４４】
相対ＴＳ／スロット情報は、４８スロット（無効スロットを含む）に割り当てられる相対ＴＳ番号を伝送する領域とし、その構成は図１０に示す通りである。図１０において、相対ＴＳ番号は０〜７とする。
【００４５】
相対ＴＳ／ＴＳ  ＩＤ対応表は、符号化信号を識別するためのＴＳ  ＩＤと同一周波数において複数のＴＳを効率的に伝送するための相対ＴＳ番号との対応関係を示す領域であり、その構成は図１１に示す通りである。
【００４６】
起動制御信号は、緊急警報信号を伝送し、受信機の起動制御を行なう場合には“１”とし、それ以外の場合は“０”とする。アップリンク制御情報は、地球局の切り替え制御に使用することができるものとする。拡張情報は、図１２に示す構成とする。図１２において、ＴＭＣＣ信号を拡張する場合には、拡張フラグを“１”とし、その後に続く拡張領域を有効とする。拡張フラグが“０”の場合には、拡張領域の６１ビットを全て“１”としてスタッフィングする。
【００４７】
図１３は、上記したＴＭＣＣ信号をデジタル放送の有無の判定に利用した、チャンネルスキャン動作をまとめたフローチャートを示している。すなわち、チャンネルスキャンが開始（ステップＳ１）されると、ステップＳ２で、チャンネルスキャンすべき全物理チャンネルの範囲が設定される。
【００４８】
チャンネルスキャンは、通常、ＵＨＦ１３チャンネルからＵＨＦ６２チャンネルまでの５０チャンネルに対して行なわれるが、共聴設備等を考慮した場合、ＶＨＦ１チャンネルからＶＨＦ１２チャンネル、ＵＨＦ１３チャンネルからＵＨＦ６２チャンネル、ＣＡＴＶ１３チャンネルからＣＡＴＶ６３チャンネルまでの全１１３チャンネルを対象とする場合も考えられるため、ユーザインターフェース等によって選択可能とすることが望ましい。
【００４９】
このようにしてチャンネルスキャンすべき全物理チャンネルの範囲が設定されると、上記コントロール制御回路２３は、ステップＳ３で、設定されたチャンネル範囲のうち、一番若い番号のチャンネルを選局し、ステップＳ４で、復調回路１３での選局状態を確認する。この場合、コントロール制御回路２３は、選局チャンネルからＴＭＣＣ信号の検出を実行する。
【００５０】
その後、コントロール制御回路２３は、ステップＳ５で、選局が完了したか否かを判別し、選局が完了していないと判断された場合（ＮＯ）、ステップＳ４の処理に戻され、選局が完了したと判断された場合（ＹＥＳ）、ステップＳ６で、ＴＭＣＣ信号が検出できたか否か、つまり、デジタル放送が行なわれているか否かの仮判定を実行する。
【００５１】
そして、デジタル放送が行なわれていると仮判定された場合（ＹＥＳ）、コントロール制御回路２３は、ステップＳ７で、ＮＩＴを得るための処理を実行し、ステップＳ８で、ＮＩＴが取得できたか否かを判別する。
【００５２】
ここで、ＮＩＴが取得できないと判断された場合（ＮＯ）、コントロール制御回路２３は、ステップＳ９で、予め設定された所定時間が経過したか否か、つまり、タイムアウトか否かを判別し、タイムアウトでないと判断された場合（ＮＯ）、ステップＳ７の処理に戻される。
【００５３】
ここにおいて、上記ステップＳ６でデジタル放送であると仮判定された場合（ＹＥＳ）、上記ステップＳ８でＮＩＴが取得できたと判断された場合（ＹＥＳ）、上記ステップＳ９でタイムアウトであると判断された場合（ＹＥＳ）、コントロール制御回路２３は、ステップＳ１０で、チャンネルの番号を＋１して更新し、ステップＳ１１で、全チャンネルの選局が完了したか否かを判別する。
【００５４】
そして、全チャンネルの選局が完了していないと判断された場合（ＮＯ）、コントロール制御回路２３は、ステップＳ３の処理に戻され、ステップＳ１０で設定された番号のチャンネルの選局を実行する。
【００５５】
また、上記ステップＳ１１で全チャンネルの選局が完了していると判断された場合（ＹＥＳ）、コントロール制御回路２３は、ステップＳ１２で、チャンネルスキャンを終了させる処理を行ない、処理が終了（ステップＳ１３）される。
【００５６】
上記した実施の形態によれば、ＴＭＣＣ信号によって放送があると仮判定されたチャンネルについてのみ、ＮＩＴを取得するようにしたので、１つのチャンネルに対する放送の有無の判定時間を短くしてチャンネルスキャンに要する時間の短縮化を図り、しかも、放送の有無を正確に判別することができて実用に好適するものとなる。
【００５７】
図１３におけるステップＳ４の復調回路１３での選局状態の確認と、ステップＳ５の選局完了か否かの判断とは、復調回路１３で得られる状態を監視し、復調処理の複数の段階処理のどの時点でデジタル放送が行なわれているかを判断することによって、デジタル放送の有無をＮＩＴの有無で確認するよりも早い判断が可能となるため、この判断をどのように行なうかによってチャンネルスキャン処理の高速化を図ることに繋がる。
【００５８】
復調回路１３で得られる状態としては、何も信号が入力されていない初期状態から始めて、信号の同期確立が完了し、ＴＳ出力が確定して始めて出力されるＴＳパケットが正常であると、復調回路１３の状態で確認できるまで、いくつかの段階を経て最終的な状態となる。
【００５９】
そして、地上デジタル放送が行なわれているかいないかを判断するためには、同期確立が完了するまでの各段階の処理において、デジタル放送信号の有無をつかむことが可能であることから、どこまでの精度でデジタル放送の有無を判断するかによって、どの段階の状態を利用するか決めることができる。
【００６０】
これにより、完全な同期確立までの時間を待たなくても、デジタル放送の有無を判断することが可能となる。考えられる判断材料としては、ＴＭＣＣ信号の他に、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）フレーム同期信号の検出時やＰＡＴの検出時等がある。
【００６１】
さらに、復調回路１３における地上デジタル放送の有無の仮判定は、復調回路２２における衛星デジタル放送の有無の判定にも使用することが可能である。
【００６２】
なお、この発明は上記した実施の形態そのままに限定されるものではなく、実施段階ではその要旨を逸脱しない範囲で構成要素を種々変形して具体化することができる。
【００６３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【００６４】
【発明の効果】
以上詳述したようにこの発明によれば、１つのチャンネルに対する放送の有無の判定時間を短くしてチャンネルスキャンに要する時間の短縮化を図り、しかも、放送の有無を正確に判定することができて実用に好適する放送受信装置及び放送受信方法を提供することができる。
【図面の簡単な説明】
【図１】この発明の実施の形態を示すもので、デジタル放送受信機を説明するために示すブロック構成図。
【図２】同デジタル放送受信機におけるリモートコントローラを説明するために示す図。
【図３】同デジタル放送受信機におけるスキャン選択画面を説明するために示す図。
【図４】同デジタル放送における標準規格に基づく伝送データの概略的な構成を説明するために示す図。
【図５】同伝送データにおける伝送主信号を説明するために示す図。
【図６】同伝送データにおけるＴＭＣＣ信号を説明するために示す図。
【図７】同伝送データにおけるＴＭＣＣ情報を説明するために示す図。
【図８】同ＴＭＣＣ情報における伝送モード／スロット情報の構成を説明するために示す図。
【図９】同伝送モードにおける変調方式と誤り訂正内符号の符号化率の組み合わせを説明するために示す図。
【図１０】同ＴＭＣＣ情報における相対ＴＳ／スロット情報の構成を説明するために示す図。
【図１１】同ＴＭＣＣ情報における相対ＴＳ／ＴＳ  ＩＤ対応表の構成を説明するために示す図。
【図１２】同ＴＭＣＣ情報における拡張情報の構成を説明するために示す図。
【図１３】同デジタル放送受信機におけるチャンネルスキャン動作を説明するために示すフローチャート。
【符号の説明】
１１…地上放送用アンテナ、１２…地上放送用チューナ、１３…復調回路、１４…ＴＳプロセッサ、１５…ＭＰＥＧデコーダ、１６…映像用Ｄ／Ａ変換回路、１７…モニタ、１８…音声用Ｄ／Ａ変換回路、１９…スピーカ、２０…衛星放送用アンテナ、２１…衛星放送用チューナ、２２…復調回路、２３…コントロール制御回路、２４…リモートコントローラ、２５…メニューキー、２６…方向キー、２７…決定キー。
【図１】
2004363806.tif 000003
【図２】
2004363806.tif 000004
【図３】
2004363806.tif 000005
【図４】
2004363806.tif 000006
【図５】
2004363806.tif 000007
【図６】
2004363806.tif 000008
【図７】
2004363806.tif 000009
【図８】
2004363806.tif 000010
【図９】
2004363806.tif 000011
【図１０】
2004363806.tif 000012
【図１１】
2004363806.tif 000013
【図１２】
2004363806.tif 000014
【図１３】
2004363806.tif 000015